【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
燃料電池システムであって、
アノードガスとカソードガスとの電気化学反応により発電する燃料電池と、
前記カソードガスと前記燃料電池から排出された前記アノードガスとを含む排ガスを排出する排出口を有する排出管と、
前記カソードガスを前記燃料電池に供給するカソードガス供給流路と、
前記カソードガス供給流路に設けられ、前記燃料電池へ前記カソードガスを送り出すコンプレッサと、
前記アノードガスの流路の外部に設けられ、前記アノードガスを検知するアノードガス検知器と、
所定の条件が成立した場合に、前記アノードガス検知器による前記アノードガスの検知を前記アノードガスの漏れとして検出することを抑制する抑制制御を行う制御部と、
を備え、
前記制御部は、前記条件を、
（ｉ）前記コンプレッサにより取り込まれるカソードガスの流量である測定流量を、外気圧と前記コンプレッサの回転数から想定される前記カソードガスの想定流量で割った流量割合が、予め定められた流量割合閾値よりも小さいこと、
（ｉｉ）前記燃料電池のカソードガス入口又はカソードガス出口の圧力である測定ガス圧力を、前記外気圧と前記コンプレッサの回転数から想定される想定ガス圧力で割った圧力割合が、予め定められた圧力割合閾値よりも大きいこと、
（ｉｉｉ）前記燃料電池の出力電圧である測定電圧を、前記燃料電池の出力電流である測定電流と前記コンプレッサの回転数から想定される前記燃料電池の想定電圧で割った電圧割合が、予め定められた電圧割合閾値よりも小さいこと、
の少なくとも１つが成立したことにより判断する
燃料電池システム。
【請求項２】
請求項１に記載の燃料電池システムであって、
前記抑制制御は、前記抑制制御をしない場合と比べて、前記排出管への前記カソードガスの供給流量を増加させるガス量増加制御を含む、燃料電池システム。
【請求項３】
請求項２に記載の燃料電池システムであって、
前記コンプレッサと前記カソードガス供給流路とを含み、前記カソードガスを前記排出管へ供給するカソードガス供給部は、さらに、
前記燃料電池から前記カソードガスを排出し、前記排出管と接続されているカソードガス排出流路と、
前記カソードガス供給流路と前記カソードガス排出流路とを連通するバイパス流路と、
前記バイパス流路との接続部よりも前記カソードガス供給流路の下流側に設けられた供給弁と、
前記バイパス流路との接続部よりも前記カソードガス排出流路の上流側に設けられた圧力調整弁と、
前記バイパス流路に設けられたバイパス弁と、を備え、
前記制御部は、前記抑制制御として、前記カソードガス供給部を制御することにより、前記抑制制御をしない場合と比べて、前記バイパス流路における前記カソードガスの流量を増加させるバイパス流量増加制御を行う、燃料電池システム。
【請求項４】
請求項３に記載の燃料電池システムであって、
前記制御部は、前記測定ガス圧力が予め定められた圧力閾値以上である場合、前記バイパス流量増加制御を行わない、燃料電池システム。
【請求項５】
請求項１から請求項４のいずれか１項に記載の燃料電池システムであって、さらに、
前記排出管に設けられた排出弁を備え、
前記制御部は、前記所定の条件が成立している場合でも、前記排出弁が閉じてから予め定められた時間以上経過している場合には、前記抑制制御を行わない、燃料電池システム。
【請求項６】
請求項１から請求項５のいずれか１項に記載の燃料電池システムであって、
前記抑制制御は、前記抑制制御をしない場合と比較して、前記アノードガス検知器がアノードガス漏れと検知する検知基準を規制範囲内で緩和する緩和制御を含む、燃料電池システム。
【請求項７】
請求項１から請求項６のいずれか１項に記載の燃料電池システムであって、
前記制御部は、前記アノードガス検知器が検知する前記アノードガスの濃度の上昇幅が、予め定められた許容範囲以上である場合に、前記抑制制御を行わない、燃料電池システム。
【請求項８】
燃料電池システムの制御方法であって、
燃料電池から前記燃料電池で用いられたアノードガスおよびカソードガスを排出するための排出口が閉塞している可能性を示す排出口浸水条件が成立しているかを判断し、
燃料電池に供給されるアノードガスを、前記アノードガスの流路の外部で検出したとき、前記排出口浸水条件が成立している場合は、前記排出口浸水条件が成立してない場合と比べて、前記アノードガスの流路の外部での前記アノードガスの検知を、前記アノードガスの漏れであると検出することを抑制し、
前記排出口浸水条件を、
（ｉ）前記カソードガスを前記燃料電池に供給するコンプレッサに取り込まれた前記カソードガスの測定流量を、外気圧と前記コンプレッサの回転数から想定される前記カソードガスの想定流量で割った流量割合が、予め定められた流量割合閾値よりも小さいこと、
（ｉｉ）前記燃料電池のカソードガス入口又はカソードガス出口の測定ガス圧力を、外気圧と前記コンプレッサの回転数から想定される想定ガス圧力で割った圧力割合が、予め定められた圧力割合閾値よりも大きいこと、
（ｉｉｉ）前記燃料電池の測定電圧を、前記燃料電池の測定電流と前記コンプレッサの回転数から想定される前記燃料電池の想定電圧で割った電圧割合が、予め定められた電圧割合閾値よりも小さいこと、
の少なくとも１つが成立したことにより判断する、燃料電池システムの制御方法。
【手続補正２】
【補正対象書類名】明細書
【補正対象項目名】０００６
【補正方法】変更
【補正の内容】
【０００６】
（１）本発明の一形態によれば、燃料電池システムが提供される。この燃料電池システムは、アノードガスとカソードガスとの電気化学反応により発電する燃料電池と、前記カソードガスと前記燃料電池から排出された前記アノードガスとを含む排ガスを排出する排出口を有する排出管と、前記カソードガスを前記燃料電池に供給するカソードガス供給流路と、前記カソードガス供給流路に設けられ、前記燃料電池へ前記カソードガスを送り出すコンプレッサと、前記アノードガスの流路の外部に設けられ、前記アノードガスを検知するアノードガス検知器と、所定の条件が成立した場合に、前記アノードガス検知器による前記アノードガスの検知を前記アノードガスの漏れとして検出することを抑制する抑制制御を行う制御部と、を備え、前記制御部は、前記条件を、（ｉ）前記コンプレッサにより取り込まれるカソードガスの流量である測定流量を、外気圧と前記コンプレッサの回転数から想定される前記カソードガスの想定流量で割った流量割合が、予め定められた流量割合閾値よりも小さいこと、（ｉｉ）前記燃料電池のカソードガス入口又はカソードガス出口の圧力である測定ガス圧力を、前記外気圧と前記コンプレッサの回転数から想定される想定ガス圧力で割った圧力割合が、予め定められた圧力割合閾値よりも大きいこと、（ｉｉｉ）前記燃料電池の出力電圧である測定電圧を、前記燃料電池の出力電流である測定電流と前記コンプレッサの回転数から想定される前記燃料電池の想定電圧で割った電圧割合が、予め定められた電圧割合閾値よりも小さいこと、の少なくとも１つが成立したことにより判断する。この形態の燃料電池システムによれば、水面が排出口に到達していると想定される状況において抑制制御を行うことにより、排出口から排出されたアノードガスが、アノードガス流路からのアノードガス漏れと誤って検知されることを抑制できる。
【手続補正３】
【補正対象書類名】明細書
【補正対象項目名】００１０
【補正方法】変更
【補正の内容】
【００１０】
（５）上記形態の燃料電池システムにおいて、さらに、前記排出管に設けられた排出弁を備え、前記制御部は、前記所定の条件が成立している場合でも、前記排出弁が閉じてから予め定められた時間以上経過している場合、前記抑制制御を行わなくてもよい。この形態の燃料電池システムによれば、不要な制御を行わなくて済む。
【手続補正４】
【補正対象書類名】明細書
【補正対象項目名】００１１
【補正方法】変更
【補正の内容】
【００１１】
（６）上記形態の燃料電池システムにおいて、前記抑制制御は、前記抑制制御をしない場合と比較して、前記アノードガス検知器がアノードガス漏れと検知する検知基準を規制範囲内で緩和する緩和制御を含んでもよい。この形態の燃料電池システムによれば、水面が排出口に到達していると想定される状況において緩和制御を行うことにより、排出口から排出されたアノードガスが、アノードガス流路からのアノードガス漏れと誤って検知されることを抑制できる。